(57)【要約】      （修正有）【課題】スペースを取らず、組み立て過程が明らかに便利な多機能サポート台の提供。【解決手段】多機能サポート台3は、台ボディユニット31、設置ユニット32、及び連結ユニット33を含む。台ボディユニット31は、サポート棒311、その上端に設けた固定部品312、及びサポート棒311底端に設け中空状である内設部313により構成されており、設置ユニット32は、固定部品312上に設けて物件41を置くものであり、連結ユニット33は、台ボディユニット31の内設部313内に設ける嵌合制御部品331、及び、嵌合制御部品331と設備42を相互結合する連結部品332を含む。上述設計により、嵌合制御部品331と内設部313は大きな接触サポート面を形成する。また、嵌合制御部品331と連結部品332は設備42上に相互に組み合わせて固定した後、内設部313は嵌合制御部品331上に嵌設、組み立てを完成する。【選択図】図２
0003133207.tif 000002
【実用新案登録請求の範囲】
【請求項１】
多機能サポート台は、物件を置く為に用いるものであり、該多機能サポート台は、設備上に固設し、並びに、台ボディユニット、設置ユニット、及び連結ユニットを含み、
該台ボディユニットは、その上端に設けた固定部品、及び、その底端に設け中空状である内設部を備えており、
該設置ユニットは、台ボディユニットの固定部品上に設けて物件を置く為のものであり、該連結ユニットは、台ボディユニットの内設部内に設ける嵌合制御部品、及び、該嵌合制御部品と設備を相互に結合する連結部品を含むことを特徴とする多機能サポート台。
【請求項２】
請求項１記載の多機能サポート台において、前記台ボディユニットは、更に内設部外表面に設けた二つの突出部を備え、前記連結ユニットは、更に、二つの突出部に貫入する調節部を備えており、それにより、二つの突出部の間隔を調整し、同時に、内設部がその内径を変え、該嵌合制御部品上をきつく締め付けることを特徴とする多機能サポート台。
【請求項３】
請求項２記載の多機能サポート台において、前記台ボディユニットは、更に、多数の相互に連結するサポート棒を設け、該固定部品は、最上方サポート棒の上端に設け、該内設部は、最下方のサポート棒底端に設けることを特徴とする多機能サポート台。
【請求項４】
請求項３記載の多機能サポート台において、前記台ボディユニットの各サポート棒は、それぞれ、パイプ、該パイプ内で軸方向に移動する可動柱、及び該可動柱を該パイプ内に定位させる為の締付部品を含むことを特徴とする多機能サポート台。
【請求項５】
請求項４記載の多機能サポート台において、前記連結ユニットの連結部品はネジであり、該嵌合制御部品を貫入螺合し、且つ、その末端を設備上に螺設することを特徴とする多機能サポート台。
【請求項６】
請求項４記載の多機能サポート台において、前記連結ユニットの連結部品はＣ型挟み込み形状のものであり、嵌合制御部品上に固設して該設備を中に置く為の挟み込み体、及び該挟み込み体を貫通して設備上を圧する締付具を備えることを特徴とする多機能サポート台。
【請求項７】
請求項６記載の多機能サポート台において、前記連結ユニットは、更に、螺合部品を備え、同時に該嵌合制御部品と挟み込み体に螺合貫入し、嵌合制御部品と連結部品の両者を相互に結合することを特徴とする多機能サポート台。
【請求項８】
請求項５又は請求項６又は請求項７記載の多機能サポート台において、前記台ボディユニットの固定部品はネジであり、該設置ユニットは、固定部品上に螺合することを特徴とする多機能サポート台。
【請求項９】
請求項８記載の多機能サポート台において、前記設置ユニットは、該固定部品上に嵌設する定位片、該固定部品上に螺設し該定位片をきつく締め付けるナット、及び、サポート棒のパイプに取り外しできるように設けた設置部品を備えており、該物件は、該定位片と設置部品の間に挟まれて定位することを特徴とする多機能サポート台。
【考案の詳細な説明】
【技術分野】
【０００１】
本考案は、サポート台に関するものであり、特に、各種設備上に固定して、各種物品を置く為の多機能サポート台である。
【背景技術】
【０００２】
図１に示すとおり、公知のサポート台1は、ノートブックパソコン、撮影機材など物品（未図示）をその上に載せる為のものであり、使用者が撮影やパソコン操作などの動作を便利に行えるようにする。例えば、ノートブックパソコンについて言えば、これを適当な高さに置くことができ、ノートブックパソコンを低い高さの膝の上に置かずに操作を行うことができる。撮影機材について言えば、良好な安定効果を持たせることができ、使用者の手が安定しない故に起こるレンズぶれがない。
【０００３】
サポート台1は、二つの相互に枢着した支桿11、上方支桿11の上端に設けた設置台12、下方支桿11の底端に設置したメインサポート部13、及び、下方支桿11上に設けたサブサポート部14を含む。
二つの支桿11は、枢着部品15に連結している故、相対して軸回転する動作を生じさせ、該設置台12は、上述物品を置くためのものであり、該メインサポート部13は、下方支桿11の底端に設けた本体部131、及び該本体部131間に延伸した二股分岐部132を備え、並びに、ネジ16のネジボディ161が二股分岐部132を貫通しており、末端は、設備21上に螺合、該ネジ16のネジヘッド162は、二股分岐部132上を圧し、この方法により、該サポート台1を設備21上に固定する。
しかしながら、該ネジ16のネジヘッド162で該二股分岐部132上を圧する、その接触面積は非常に小さい故、該サポート台1は変移、振動による揺れが起き易く、よって、該サブサポート部14を別の設備21に固設して、該サポート台1にメインサポート部13のサポート作用を与える以外に、更に該サブサポート部14が提供する別のサポート作用を持たせ、該サポート台1は、更に良好なサポート効果を獲得できる。
【０００４】
上述設計に基づき、該サポート台1を組み立てる場合、該メインサポート部13、サブサポート部14を上に固設する為の二つの設備を探さなければならず、使用において非常に不便であり、特に、更に多くのサポート部品が必要となり、それに伴い、更に多くのスペースを取ることとなり、組み立て効率も明らかに悪くなる。
【考案の開示】
【考案が解決しようとする課題】
【０００５】
本考案の目的は、便利に組み立てられ、スペースを取らず、良好なサポート効果を持つ多機能サポート台の提供にある。
【０００６】
本考案の多機能サポート台は、物件を置く為に用い、該多機能サポート台は、一つの設備上に固設し、並びに、台ボディユニット31、設置ユニット32、連結ユニット33を含むものである。
該台ボディユニット31は、その上端に設けた固定部品312、及びその底端に設け中空状である内設部313を備え、該設置ユニット32は、台ボディユニット31の固定部品312上に設けて該物件を置く為のもので、該連結ユニット33は、該台ボディユニット31の内設部313内に設けた嵌合制御部品331、及び該嵌合制御部品331と設備42を相互結合させる連結部品332を備える。
【課題を解決するための手段】
【０００７】
請求項１の考案は、多機能サポート台は、物件を置く為に用いるものであり、該多機能サポート台は、設備上に固設し、並びに、台ボディユニット、設置ユニット、及び連結ユニットを含み、
該台ボディユニットは、その上端に設けた固定部品、及び、その底端に設け中空状である内設部を備えており、
該設置ユニットは、台ボディユニットの固定部品上に設けて物件を置く為のものであり、該連結ユニットは、台ボディユニットの内設部内に設ける嵌合制御部品、及び、該嵌合制御部品と設備を相互に結合する連結部品を含むことを特徴とする多機能サポート台としている。
請求項２の考案は、請求項１記載の多機能サポート台において、前記台ボディユニットは、更に内設部外表面に設けた二つの突出部を備え、前記連結ユニットは、更に、二つの突出部に貫入する調節部を備えており、それにより、二つの突出部の間隔を調整し、同時に、内設部がその内径を変え、該嵌合制御部品上をきつく締め付けることを特徴とする多機能サポート台としている。
請求項３の考案は、請求項２記載の多機能サポート台において、前記台ボディユニットは、更に、多数の相互に連結するサポート棒を設け、該固定部品は、最上方サポート棒の上端に設け、該内設部は、最下方のサポート棒底端に設けることを特徴とする多機能サポート台としている。
請求項４の考案は、請求項３記載の多機能サポート台において、前記台ボディユニットの各サポート棒は、それぞれ、パイプ、該パイプ内で軸方向に移動する可動柱、及び該可動柱を該パイプ内に定位させる為の締付部品を含むことを特徴とする多機能サポート台としている。
請求項５の考案は、請求項４記載の多機能サポート台において、前記連結ユニットの連結部品はネジであり、該嵌合制御部品を貫入螺合し、且つ、その末端を設備上に螺設することを特徴とする多機能サポート台としている。
請求項６の考案は、請求項４記載の多機能サポート台において、前記連結ユニットの連結部品はＣ型挟み込み形状のものであり、嵌合制御部品上に固設して該設備を中に置く為の挟み込み体、及び該挟み込み体を貫通して設備上を圧する締付具を備えることを特徴とする多機能サポート台としている。
請求項７の考案は、請求項６記載の多機能サポート台において、前記連結ユニットは、更に、螺合部品を備え、同時に該嵌合制御部品と挟み込み体に螺合貫入し、嵌合制御部品と連結部品の両者を相互に結合することを特徴とする多機能サポート台としている。
請求項８の考案は、請求項５又は請求項６又は請求項７記載の多機能サポート台において、前記台ボディユニットの固定部品はネジであり、該設置ユニットは、固定部品上に螺合することを特徴とする多機能サポート台としている。
請求項９の考案は、請求項８記載の多機能サポート台において、前記設置ユニットは、該固定部品上に嵌設する定位片、該固定部品上に螺設し該定位片をきつく締め付けるナット、及び、サポート棒のパイプに取り外しできるように設けた設置部品を備えており、該物件は、該定位片と設置部品の間に挟まれて定位することを特徴とする多機能サポート台としている。
【考案の効果】
【０００８】
本考案は、該台ボディユニットの底端に中空状の内設部を形成して、該嵌合制御部品をその中に設け、該嵌合制御部品が大きな接触サポート面積を形成する故、本考案に良好なサポート効果を持たせることができる。また、該嵌合制御部品と連結部品が該設備上において組合わせられて固定し、該内設部は、該嵌合制御部品上に嵌設されているので、組み立てが完成した後の本考案はスペースを取らず、組み立て過程が非常に便利な多機能サポート台である。
【考案を実施するための最良の形態】
【０００９】
図２に、本考案の物件41を置く為に用いる多機能サポート台3の実施例(1)を示す。該多機能サポート台3は、設備42上に固設し、並びに、台ボディユニット31、設置ユニット32、及び連結ユニット33を含む。
該台ボディユニット31は、相互に枢着する二つのサポート棒311、上方サポート棒311の上端に設けた固定部品312、下方サポート棒311の底端に設け中空状である内設部313、及び内設部313外表面に設けた二つの突出部314を含む。
【００１０】
本実施例において、相互に枢着した二つのサポート棒311を開示したが、当然ながら、単一のサポート棒311であってもよく、または固定角度を持たせて一緒に連結した二つのサポート棒311であってもよい。
各サポート棒311は、それぞれ、パイプ315、該パイプ315内で軸方向に移動する可動柱316、及び該可動柱316を該パイプ315内に定位させる為の締付部品317を含む。この設計によって、各サポート棒311には長さ調整機能を持たせることができ、また、締付部品317によってパイプ315の内径を変更でき、該可動柱316はパイプ315によってきつく締め付けられて定位する。該締付部品317は公知部品である故、ここではその構造説明を省略する。
該台ボディユニット31の固定部品312はネジであり、該設置ユニット32は、固定部品312上に螺合、並びに、該設置ユニット32は、該物件41の種類に基づいて選択を行う。例えば図２では、該物件41はノートブックパソコンであり、該設置ユニット32は、即ち、ノートブックパソコンを載せる設置台である。もし、該物件41が撮影機材であるなら、該設置ユニット32は即ち、撮影機材をその上に固設する為の設置台となる。
【００１１】
図２、図３に示すとおり、該連結ユニット33は、台ボディユニット31の内設部313内に設ける嵌合制御部品331、嵌合制御部品331と設備42を相互結合する連結部品332、及び該台ボディユニット31の二つの突出部314を貫通する調節部333（図２参照）を含む。その内、連結部品332はネジである。
【００１２】
図３、図４を参照すると、組み立てる場合、該連結部品332を該嵌合制御部品331に貫通螺合させ、且つその末端を該設備42上に螺設する。その後、更に該台ボディユニット31の内設部313を該嵌合制御部品331上に嵌合、並びに、該調節部333を該台ボディユニット31の二つの突出部314に貫入し、その二つの突出部314の間隔を調整すると、それに伴い、内設部313もまたその内径を変え、嵌合制御部品331上をきつく圧することができる。この方式によって、該嵌合制御部品331は内設部313内にきつく嵌入して脱落が難しくなり、並びに、連結部品332が嵌合制御部品331と設備42に貫入螺着することにより、二者を相互結合する。
【００１３】
上述設計により、該嵌合制御部品331と内設部313は大きな接触サポート面を形成し、公知のサポート台1と比較すると、該ネジ16のネジヘッド162と二股分岐部132の接触サポート面積は、明らかに小さく、そのサポート効果も弱く、よって、本考案の多機能サポート台3は、明らかに良好なサポート効果を持つものとなる。また、該多機能サポート台3を組み立てる場合は、先ず該連結部品332を該嵌合制御部品331と設備42に貫入螺合後、更に、該内設部313を嵌合制御部品331上に嵌合する故、該多機能サポート台3に便利な組み立て効果を持たせるだけでなく、公知のサポート台1と比較すると、公知のサポート台1は、支桿11底部と周囲面上にもサポートを加えており、全体体積がかなり大きいのに対し、本考案の多機能サポート台3は、底部にサポート部分を加えただけで、その商品体積は明らかに小さく、スペースを取らないものである。
【００１４】
図５に、本考案の多機能サポート台3の実施例(2)を示す。概ね、実施例(1)に類似しているが、異なる点は次のとおりである。該設置ユニット32は、固定部品312上に嵌設した定位片321、該固定部品312上に螺設し該定位片321をきつく圧するナット324、及び取り外しできるようにサポート棒311のパイプ315上に設けた設置部品322を備えるもので、該定位片321は概ねＵ形を成し、該設置部品322は長細い形状であり、並びに、内設溝323を備える。該物件41は画板のようなものであり（図中には仮想線を示した）、該内設溝323内に置き、並びに、該定位片321と内設溝323の間に挟まれて定位する。
使用者は、該多機能サポート台3を画板を置く用途に使用でき、前述実施例(1)のような撮影機材、ノートブックパソコンを置くという使用範囲に制限されることがない。
【００１５】
図６に、本考案の多機能サポート台3の実施例(3)を示す。これは、概ね、該実施例(1)に類似するもので、異なる点は次に挙げるとおりである。該連結ユニット33の連結部品332はＣ型挟み込み形状であり、嵌合制御部品331上に固設し該設備42を中に置く挟み込み体335、及び、該挟み込み体335を貫入し設備42上を圧する締付具336を備えており、該連結ユニット33は、更に該嵌合制御部品331と挟み込み体335を貫入螺合する螺合部品334を備え、嵌合制御部品331と連結部品332の両者を相互に結合する。
【００１６】
本実施例において、該嵌合制御部品331と連結部品332は、該螺合部品334によって螺合固定しているが、当然ながら、螺合方式を採用せず、該嵌合制御部品331と連結部品332を両者一体成形してもよい。
本実施例を組み立てて使用する場合、設備42を挟み込み体335内に置いた後、更に、該締付具336によって該設備42上を圧して、設備42を挟み込み体335と締付具336の間に定位させる。前述実施例(1)と比較すると、該設備42は、連結部品332をその上に螺設するにはネジ孔を開けなければならない。本実施例では、簡単に該設備42を該挟み込み体335と締付具336の間に挟み込んで定位させており、使用者には、前述実施例(1)の螺合固定状態に制限されることがない別の結合方式を提供する。
【００１７】
上述をまとめると、本考案は、該台ボディユニット31の底端に中空状の内設部313を形成して、該嵌合制御部品331をその中に設け、該嵌合制御部品331が大きな接触サポート面積を形成する故、本考案に良好なサポート効果を持たせることができる。また、該嵌合制御部品331と連結部品332が該設備42上において組合わせられて固定し、該内設部313は、該嵌合制御部品331上に嵌設されているので、組み立てが完成した後の本考案はスペースを取らず、組み立て過程が非常に便利な多機能サポート台である。
【図面の簡単な説明】
【００１８】
【図１】公知のサポート台の立体図である。
【図２】本考案の立体分解図である。
【図３】本考案の連結ユニットと設備の結合側面断面図である。
【図４】本考案の嵌合制御部品が内設部内にきつく嵌合した状態の上面見取図である。
【図５】本考案の実施例（2）の局部立体図である。
【図６】本考案の実施例（3）の局部側面断面図である。
【符号の説明】
【００１９】
1  サポート台
11  支桿
12  設置台
13  メインサポート部
131  本体部
132  二股分岐部
14  サブサポート部
15  枢着部品
16  ネジ
161  ネジボディ
162  ネジヘッド
21  設備
3  多機能サポート台
31  台ボディユニット
311  サポート棒
312  固定部品
313  内設部
314  突出部
315  パイプ
316  可動柱
317  締付部品
32  設置ユニット
321  定位片
322  設置部品
323  内設溝
324  ナット
33  連結ユニット
331  嵌合制御部品
332  連結部品
333  調節部
334  螺合部品
335  挟み込み体
336  締付具
41  物件
42  設備
【図１】
0003133207.tif 000003
【図２】
0003133207.tif 000004
【図３】
0003133207.tif 000005
【図４】
0003133207.tif 000006
【図５】
0003133207.tif 000007
【図６】
0003133207.tif 000008